(57)【要約】【課題】  主桁に予め部材の取り付けや加工を必要とせず、高所作業の減少および作業工程の短縮化を図るとともに、交通規制を行う場合にも最小限にすることができる吊り足場の組立方法、解体方法およびこれらに用いる移動式吊り治具を提供すること。【解決手段】  橋梁９の主桁１の下フランジ１ａ上を転動して移動可能な移動式吊り治具２０を介して橋脚９近傍の作業台３０上でおやごパイプ４を吊り下げて１ユニット分の吊り足場４０を組み立てた後、他方の橋脚９側に移動して設置するとともに、作業台３０上で次ぎの１ユニット分の吊り足場４０を組み立てることを繰り返すようにする。  これにより、移動式吊り治具２０を主桁１の下フランジ１ａ上を移動させることで、予めレールを取り付ける必要をなくして雨水による腐食の問題もなく、橋脚９近傍の作業台３０上で１ユニット分の吊り足場４０を組み立てて移動式吊り治具２０で移動することで、張り出しながらの高所作業を減少することができるとともに、短時間に効率的に組み立てることができ、交通規制の必要も大幅に短縮することができる。【選択図】  図１
2005232677.tif 000002
【特許請求の範囲】
【請求項１】
橋梁の主桁の下フランジ上を転動して移動可能な移動式吊り治具を介して橋脚近傍の作業台上でおやごパイプを吊り下げて１ユニット分の吊り足場を組み立てた後、他方の橋脚側に移動して設置するとともに、前記作業台上で次ぎの１ユニット分の吊り足場を組み立てることを繰り返すようにしたことを特徴とする吊り足場の組立方法。
【請求項２】
前記移動式吊り治具で移動した後、固定式吊り治具に盛り換えて前記吊り足場を設置するようにしたことを特徴とする請求項１記載の吊り足場の組立方法。
【請求項３】
橋梁の主桁の下フランジ上を転動して移動可能な移動式吊り治具を介しておやごパイプを吊り下げて組み立てられた吊り足場を、１ユニット分ずつに分離して橋脚近傍の作業台上に移動して解体することを繰り返すようにしたことを特徴とする吊り足場の解体方法。
【請求項４】
前記吊り足場を固定設置した固定式吊り治具から前記移動式吊り治具に盛り換えて移動し、解体するようにしたことを特徴とする請求項３記載の吊り足場の解体方法。
【請求項５】
橋梁の主桁の下フランジ上を転動して移動可能なローラを上部に備える治具本体と、この治具本体下部に連結可能に設けられおやごパイプを支持固定するパイプ固定金具とからなることを特徴とする移動式吊り治具。
【請求項６】
前記治具本体に、前記主桁の下部フランジ下面に沿って転動する浮き上り防止ローラを設けたことを特徴とする請求項５記載の移動式吊り治具。
【請求項７】
前記ローラおよび／または前記浮き上り防止ローラの表面を、硬質ゴムで構成したことを特徴とする請求項５または６記載の移動式吊り治具。
【発明の詳細な説明】
【技術分野】
【０００１】
この発明は吊り足場の組立方法、解体方法およびこれらに用いる移動式吊り治具に関し、橋脚近傍の作業台上で１ユニットずつ組み立てて主桁をそのまま利用して移動させて設置できるようにしたものに関する。
【背景技術】
【０００２】
橋梁工事での塗装作業、ハイテンボルトの締め付け作業、あるいは付属物の取り付け作業などの各種作業を行う必要がある場合には、吊り足場の設置が必要となる。
【０００３】
このような吊り足場は、例えば図４に示すように、橋梁の主桁１に吊金具２を予め取り付けておき、これら吊金具２にチェーン３を掛けておやごパイプ４を吊り、各おやごパイプ４上にころばし５を渡し、ころばし５の上に足場板６を載せて固定し、足場板６の両側端に手すり７を設けるとともに、下部にネット８を設けるようにして設置されている。
【０００４】
このような吊り足場を設置する場合には、作業者が橋脚の端部から順次組み立て行く必要があり、組み立てに長時間を要し、しかも高所作業となるとともに、橋梁が道路上の場合には、交通規制の必要がある。
【０００５】
そこで、特許文献１には、図５に示すように、橋梁の移動式防護工１０が開示されており、主桁１の下フランジ１ａなどに予めレール１１を溶接などにより取り付けておき、そのレール１１上を移動自在なローラ１２を上部に仕込んだ治具１３を介しておやごパイプ４を吊り下げて移動可能な吊足場１４を組立て、それを順次引き出すように移動して設置するようにし、解体も設置と逆の手順で行うようにしている。
【０００６】
これにより、防護工の組立や解体の工程を短縮するとともに、安全度が増すようにしている。
【特許文献１】特開平５−２９５７１２号公報
【発明の開示】
【発明が解決しようとする課題】
【０００７】
ところが、上記の移動式防護工１０では、治具１３を移動するため、主桁１に予めレール１１を溶接する必要があり、その分工数およびコストが増大するとともに、吊足場１４上での各種作業終了後、設置者から了解を得てレール１１を取り付けた状態のままにすると、雨水が主桁１の下フランジ１ａ上に溜まり腐食の原因となるなどの問題がある。
【０００８】
この発明はかかる従来技術の問題点に鑑みてなされたもので、主桁に予め部材の取り付けや加工を必要とせず、高所作業の減少および作業工程の短縮化を図るとともに、交通規制を行う場合にも最小限にすることができる吊り足場の組立方法、解体方法およびこれらに用いる移動式吊り治具を提供しようとするものである。
【課題を解決するための手段】
【０００９】
上記課題を解決するため、この発明の請求項1記載の吊り足場の組立方法は、橋梁の主桁の下フランジ上を転動して移動可能な移動式吊り治具を介して橋脚近傍の作業台上でおやごパイプを吊り下げて１ユニット分の吊り足場を組み立てた後、他方の橋脚側に移動して設置するとともに、前記作業台上で次ぎの１ユニット分の吊り足場を組み立てることを繰り返すようにしたことを特徴とするものである。
【００１０】
この吊り足場の組立方法によれば、橋梁の主桁の下フランジ上を転動して移動可能な移動式吊り治具を介して橋脚近傍の作業台上でおやごパイプを吊り下げて１ユニット分の吊り足場を組み立てた後、他方の橋脚側に移動して設置するとともに、前記作業台上で次ぎの１ユニット分の吊り足場を組み立てることを繰り返すようにしており、移動式吊り治具を主桁の下フランジ上を移動させることで、予めレールを取り付ける必要をなくして雨水による腐食の問題もなく、橋脚近傍の作業台上で１ユニット分の吊り足場を組み立てて移動式吊り治具で移動することで、張り出しながらの高所作業を減少するとともに、短時間に効率的に組み立てることができ、交通規制の必要も大幅に短縮できるようにしている。
【００１１】
また、この発明の請求項２記載の吊り足場の組立方法は、請求項１記載の構成に加え、前記移動式吊り治具で移動した後、固定式吊り治具に盛り換えて前記吊り足場を設置するようにしたことを特徴とするものである。
【００１２】
この吊り足場の組立方法によれば、前記移動式吊り治具で移動した後、固定式吊り治具に盛り換えて前記吊り足場を設置するようにしており、チェーンなどの固定式吊り治具に盛り変えることで、移動式吊り治具の必要個数を大幅に削減でき、吊り足場の設置コストの削減を図るようにしている。
【００１３】
さらに、この発明の請求項３記載の吊り足場の解体方法は、橋梁の主桁の下フランジ上を転動して移動可能な移動式吊り治具を介しておやごパイプを吊り下げて組み立てられた吊り足場を、１ユニット分ずつに分離して橋脚近傍の作業台上に移動して解体することを繰り返すようにしたことを特徴とするものである。
【００１４】
この吊り足場の解体方法によれば、橋梁の主桁の下フランジ上を転動して移動可能な移動式吊り治具を介しておやごパイプを吊り下げて組み立てられた吊り足場を、１ユニット分ずつに分離して橋脚近傍の作業台上に移動して解体することを繰り返すようにしており、移動式吊り治具を主桁の下フランジ上を移動させることで、予めレールを取り付ける必要をなくして雨水による腐食の問題もなく、吊り足場を１ユニット分に分離して移動式吊り治具で橋脚近傍の作業台上に移動して解体することで、張り出しながらの高所作業を減少するとともに、短時間に効率的に解体することができ、交通規制の必要も大幅に短縮できるようにしている。
【００１５】
また、この発明の請求項４記載の吊り足場の解体方法は、請求項３記載の構成に加え、前記吊り足場を固定設置した固定式吊り治具から前記移動式吊り治具に盛り換えて移動し、解体するようにしたことを特徴とするものである。
【００１６】
この吊り足場の解体方法によれば、前記吊り足場を固定設置した固定式吊り治具から前記移動式吊り治具に盛り換えて移動し、解体するようにしており、チェーンなどの固定式吊り治具から移動式吊り治具に盛り変えることで、移動式吊り治具の必要個数を大幅に削減でき、吊り足場の解体コストの削減を図るようにしている。
【００１７】
さらに、この発明の請求項５記載の移動式吊り治具は、橋梁の主桁の下フランジ上を転動して移動可能なローラを上部に備える治具本体と、この治具本体下部に連結可能に設けられおやごパイプを支持固定するパイプ固定金具とからなることを特徴とするものである。
【００１８】
この移動式吊り治具によれば、橋梁の主桁の下フランジ上を転動して移動可能なローラを上部に備える治具本体と、この治具本体下部に連結可能に設けられおやごパイプを支持固定するパイプ固定金具とで構成するようにしており、吊り足場のおやごパイプをパイプ固定治具で支持して治具本体に連結し、治具本体のローラを主桁の下フランジ上を移動させることで、組立後や解体前の吊り足場を移動でき、予めレールを取り付ける必要をなくして雨水による腐食の問題もなく、橋脚近傍の作業台上で１ユニット分の吊り足場を組み立てたり、解体することで、張り出しながらの高所作業を減少するとともに、短時間に効率的に組立および解体ができ、交通規制の必要も大幅に短縮できるようにしている。
【００１９】
また、この発明の請求項６記載の移動式吊り治具は、請求項５記載の構成に加え、前記治具本体に、前記主桁の下部フランジ下面に沿って転動する浮き上り防止ローラを設けたことを特徴とするものである。
【００２０】
この移動式吊り治具によれば、前記治具本体に、前記主桁の下部フランジ下面に沿って転動する浮き上り防止ローラを設けるようにしており、移動の際の浮き上りを防止して確実に移動できるようにしている。
【００２１】
さらに、この発明の請求項７記載の移動式吊り治具は、請求項５または６記載の構成に加え、前記ローラおよび／または前記浮き上り防止ローラの表面を、硬質ゴムで構成したことを特徴とするものである。
【００２２】
この移動式吊り治具によれば、前記ローラおよび／または前記浮き上り防止ローラの表面を、硬質ゴムで構成するようにしており、これらのローラにより下フランジ上面や下フランジ下面の塗装などを損傷することなく移動できるようにしている。
【発明の効果】
【００２３】
この発明の請求項1記載の吊り足場の組立方法によれば、橋梁の主桁の下フランジ上を転動して移動可能な移動式吊り治具を介して橋脚近傍の作業台上でおやごパイプを吊り下げて１ユニット分の吊り足場を組み立てた後、他方の橋脚側に移動して設置するとともに、前記作業台上で次ぎの１ユニット分の吊り足場を組み立てることを繰り返すようにしたので、移動式吊り治具を主桁の下フランジ上を移動させることで、予めレールを取り付ける必要をなくして雨水による腐食の問題もなく、橋脚近傍の作業台上で１ユニット分の吊り足場を組み立てて移動式吊り治具で移動することで、張り出しながらの高所作業を減少することができるとともに、短時間に効率的に組み立てることができ、交通規制の必要も大幅に短縮することができる。
【００２４】
また、この発明の請求項２記載の吊り足場の組立方法によれば、前記移動式吊り治具で移動した後、固定式吊り治具に盛り換えて前記吊り足場を設置するようにしたので、チェーンなどの固定式吊り治具に盛り変えることで、移動式吊り治具の必要個数を大幅に削減することができ、吊り足場の設置コストの削減を図ることができる。
【００２５】
さらに、この発明の請求項３記載の吊り足場の解体方法によれば、橋梁の主桁の下フランジ上を転動して移動可能な移動式吊り治具を介しておやごパイプを吊り下げて組み立てられた吊り足場を、１ユニット分ずつに分離して橋脚近傍の作業台上に移動して解体することを繰り返すようにしたので、移動式吊り治具を主桁の下フランジ上を移動させることで、予めレールを取り付ける必要をなくして雨水による腐食の問題もなく、吊り足場を１ユニット分に分離して移動式吊り治具で橋脚近傍の作業台上に移動して解体することができ、張り出しながらの高所作業を減少することができるとともに、短時間に効率的に解体することができ、交通規制の必要も大幅に短縮することができる。
【００２６】
また、この発明の請求項４記載の吊り足場の解体方法によれば、前記吊り足場を固定設置した固定式吊り治具から前記移動式吊り治具に盛り換えて移動し、解体するようにしたので、チェーンなどの固定式吊り治具から移動式吊り治具に盛り変えることで、移動式吊り治具の必要個数を大幅に削減することができ、吊り足場の解体コストの削減を図ることができる。
【００２７】
さらに、この発明の請求項５記載の移動式吊り治具によれば、橋梁の主桁の下フランジ上を転動して移動可能なローラを上部に備える治具本体と、この治具本体下部に連結可能に設けられおやごパイプを支持固定するパイプ固定金具とで構成するようにしたので、吊り足場のおやごパイプをパイプ固定治具で支持して治具本体に連結し、治具本体のローラを主桁の下フランジ上を移動させることで、組立後や解体前の吊り足場を移動することができ、予めレールを取り付ける必要をなくして雨水による腐食の問題もなく、橋脚近傍の作業台上で１ユニット分の吊り足場を組み立てたり、解体することで、張り出しながらの高所作業を減少することができるとともに、短時間に効率的に組立および解体ができ、交通規制の必要も大幅に短縮することができる。
【００２８】
また、この発明の請求項６記載の移動式吊り治具によれば、前記治具本体に、前記主桁の下部フランジ下面に沿って転動する浮き上り防止ローラを設けるようにしたので、移動の際の浮き上りを防止することができ、確実に移動することができる。
【００２９】
さらに、この発明の請求項７記載の移動式吊り治具によれば、前記ローラおよび／または前記浮き上り防止ローラの表面を、硬質ゴムで構成するようにしたので、これらのローラにより下フランジ上面や下フランジ下面の塗装などを損傷することを防止して移動することができる。
【発明を実施するための最良の形態】
【００３０】
以下、この発明の一実施の形態について図面を参照しながら詳細に説明する。  
図１〜図３は、この発明の吊り足場の組立方法、解体方法およびこれらに用いる移動式吊り治具の一実施の形態にかかり、図１(ａ)は１ユニット分の吊り足場の正面図、(ｂ)は箱桁に設置した状態の横断面図、(ｃ)は鈑桁に設置した状態の横断面図、図２は移動式吊り治具の分解斜視図、図３は組立工程の説明図である。
【００３１】
この発明の吊り足場の組立方法および解体方法では、図１および図２に示すように、移動式吊り治具２０が用いられ、例えば中空角パイプで構成された治具本体２１の上部にローラ２２が設けられ、このローラ２２を橋梁の主桁１である、例えば箱桁１ｂあるいは鈑桁１ｃの下フランジ１ａの上面を転動させて走行移動できるようになっている。
【００３２】
この移動式吊り治具２０では、治具本体２１のローラ２２の下方に、下フランジ１ａの下面に接触することで浮き上がりを防止する浮き上り防止ローラ２３が取り付けてある。
【００３３】
これら走行用のローラ２２および浮き上り防止ローラ２３は、その表面が硬質ゴム２４とされ、塗装された下フランジ１ａの上面や下面と接触して転動しても塗装面を損傷しないようにしてあり、例えば治具本体２１に取り付けた固定軸にベアリングを介して回転可能に装着されている。
【００３４】
このような治具本体２１の下部は、角パイプを押しつぶした連結部２１ａが形成されてボルト孔２５が形成してあり、この治具本体２１の連結部２１ａの両側には、パイプ固定金具２６が連結されるようになっている。
【００３５】
このパイプ固定金具２６には、吊り足場用のおやごパイプ４を取り付けるためのパイプ取付孔２７が形成されるとともに、上部にボルト孔２８が形成してあり、治具本体２１下部のボルト孔２５とこれらのボルト孔２８とにボルト２９を入れて連結される。
【００３６】
このような移動式吊り治具２０によれば、ローラ２２を特別なレールなどを必要とせずに、主桁１の下フランジ１ａ上を転動させて走行移動することができ、予めレールを溶接するなどの工数を削減することができるとともに、レールを取り付けないので雨水などが溜まることもなく、腐蝕の原因となることもない。
【００３７】
また、走行用のローラ２２および浮き上り防止ローラ２３の表面を硬質ゴム２４としたので、塗装された下フランジ１ａの上面や下面と接触して転動しても塗装面を損傷することがなく、使用後の補修などの必要もない。
【００３８】
なお、浮き上り防止ローラは、移動式吊り治具の移動の際の浮上がりを主として防止するためのものであり、移動の際の力のかかる方向によっては省略するようにしても良い。
【００３９】
次に、このような移動式吊り治具２０を用いて行う吊り足場の組立方法について、説明する。  
主桁１を支える橋脚９，９の一方の近傍に作業台３０を仮設し、この作業台３０上で１ユニット分の吊り足場４０を組み立てる。
【００４０】
すなわち、図１に示すように、主桁１の下フランジ１ａの両側にそれぞれ対向させ連結部材４１で互いを連結するとともに、主桁１に沿って複数(図示例では、３台)の移動式吊り治具２０を配置し、治具本体２１にボルト２９で連結したパイプ固定金具２６のパイプ取付孔２７におやごパイプ４を取り付けて固定するとともに、おやごパイプ４，４同士を長さ方向に連結し、例えば、長さが６ｍ程度で、主桁１の幅、例えば５〜６ｍ程度の大きさの１ユニット分が連結される。なお、主桁１の長手方向も各移動式吊り治具２０同士を必要に応じて連結部材４１で連結する。
【００４１】
そして、おやごパイプ４上に直交させてころばし５を橋梁の幅方向に掛け渡した後、ころばし５上に足場板６を載置する。
【００４２】
さらに、図示省略したが、両側端の足場板６の外側に手すりを設置するとともに、足場板６の下方にネットを取り付けて１ユニット分の吊り足場４０の組立が完成する。
【００４３】
こうして組み立てた１ユニット分の吊り足場４０は、図３に示すように、他方の橋脚９側にローラ２２を転動させて移動した後、ローラ２２を図示しない輪止めなどで固定して所定位置に設置する。
【００４４】
この１ユニット分の吊り足場４０の移動は、図３(ａ)中に示すように、作業台３０側から順次押し出すようにしたり、対岸の橋脚９側からロープ３１などで引っ張るようにしたり、両橋脚９，９間に一組のシーブ３２を設け、ループ状のロープ３３を設置し、これに連結して引っ張るようにするほか、ローラ１２自体に図示しない走行駆動装置を組み込んで自走式とするなど、いずれの方法であっても良い。
【００４５】
この１ユニット分の吊り足場４０の移動を開始した後、あるいは移動し設置が完了した後、作業台３０上では、次ぎの１ユニット分の吊り足場４０の組立を行う。
【００４６】
このような作業台３０上での組立と移動を繰り返すことで必要なユニット数の吊り足場４０，４０を連結して吊り足場全体を完成する。
【００４７】
なお、１ユニット分の吊り足場４０を移動した後、図４に示した従来の吊足場２のように、吊金具２とチェーン３などの固定式吊り治具でおやごパイプ４を支持するように盛り換えても良く、図示しないレバーウインチなどで一旦荷重を支持した後、移動式吊り治具２０を取り外して固定式吊り治具で荷重を支持するようにする。この場合、パイプ固定金具２６にチェーン係止用の孔を形成しておくことで、パイプ固定金具２６をそのまま使用して固定式吊り治具での支持を行うようにすることもできる。
【００４８】
こうすることで、移動式吊り治具２０の必要個数を２ユニットないし３ユニット分用意すれば良く、必用個数を大幅に削減することができ、吊り足場全体を設置する場合のコスト低減を図ることができる。
【００４９】
次に、吊り足場を解体する場合には、組立の場合と逆に、足場全体から１ユニット分の吊り足場４０を分離し、これを移動式吊り治具２０を介して作業台３０上に移動して解体することを繰り返せば良い。
【００５０】
また、組立の際に固定式吊り治具に盛り換えた場合には、レバーウインチなどで荷重を支持した後、固定式吊り治具を取り外して移動式吊り治具２０に荷重を移しかえるようにすれば良く、荷重を移しかえた後は、同様に１ユニットずつ移動式吊り治具２０で移動させて解体することを繰り返せば良い。
【００５１】
以上、具体的に説明したように、この吊り足場の組立方法によれば、移動式吊り治具２０を主桁１の下フランジ１ａ上を移動させることで、予めレールを取り付ける必要をなくして雨水による腐食の問題もなく、橋脚９近傍の作業台３０上で１ユニット分の吊り足場４０を組み立てて移動式吊り治具２０で移動することで、張り出しながらの高所作業を減少することができるとともに、短時間に効率的に組み立てることができ、交通規制の必要も大幅に短縮することができる。
【００５２】
また、この吊り足場の組立方法によれば、チェーンなどの固定式吊り治具に盛り変えることで、移動式吊り治具２０の必要個数を大幅に削減することができ、吊り足場の設置コストの削減を図ることができる。
【００５３】
さらに、この吊り足場の解体方法によれば、移動式吊り治具２０を主桁１の下フランジ１ａ上を移動させることで、予めレールを取り付ける必要をなくして雨水による腐食の問題もなく、吊り足場を１ユニット分に分離して移動式吊り治具２０で橋脚９近傍の作業台３０９上に移動して解体することができ、張り出しながらの高所作業を減少することができるとともに、短時間に効率的に解体することができ、交通規制の必要も大幅に短縮することができる。
【００５４】
また、この吊り足場の解体方法によれば、チェーンなどの固定式吊り治具から移動式吊り治具２０に盛り変えることで、移動式吊り治具２０の必要個数を大幅に削減することができ、吊り足場の解体コストの削減を図ることができる。
【図面の簡単な説明】
【００５５】
【図１】この発明の吊り足場の組立方法、解体方法およびこれらに用いる移動式吊り治具の一実施の形態にかかり、(ａ)は１ユニット分の吊り足場の正面図、(ｂ)は箱桁に設置した状態の横断面図、(ｃ)は鈑桁に設置した状態の横断面図である。
【図２】この発明の吊り足場の組立方法、解体方法およびこれらに用いる移動式吊り治具の一実施の形態にかかる移動式吊り治具の分解斜視図である。
【図３】この発明の吊り足場の組立方法、解体方法およびこれらに用いる移動式吊り治具の一実施の形態にかかる組立工程の説明図である。
【図４】従来の吊り足場の横断面図である。
【図５】従来の橋梁の移動式防護工の説明図である。
【符号の説明】
【００５６】
１        主桁
１ａ      下フランジ
１ｂ      箱桁
１ｃ      鈑桁
２        吊金具
３        チェーン
４        おやごパイプ
５        ころがし
６        足場板
７        手すり
８        ネット
９        橋脚
２０      移動式吊り治具
２１      治具本体
２１ａ    連結部
２２      ローラ（走行用）
２３      浮き上り防止ローラ
２４      硬質ゴム
２５      ボルト孔（治具本体）
２６      パイプ固定金具
２７      パイプ取付孔
２８      ボルト孔（パイプ固定金具）
２９      ボルト
３０      作業台
３１      ロープ
３２      シーブ
３３      ロープ（ループ状）
４０      吊り足場
４１      連結部材
【図１】
2005232677.tif 000003
【図２】
2005232677.tif 000004
【図３】
2005232677.tif 000005
【図４】
2005232677.tif 000006
【図５】
2005232677.tif 000007